(57)【要約】      （修正有）【課題】きれいな万華鏡の画像を観察できる万華鏡付き卵殻装飾品を提供すること。【解決手段】万華鏡付き卵殻装飾品は、上端と下端がそれぞれ開口されると共に内面と外面がそれぞれ補強され、かつ外面に所望の装飾が施された天然の卵の殻と、前記卵の殻の下端開口から挿入され下端開口に対して固定された筒状の万華鏡とからなり、万華鏡は被観察物を光透過性の粘性液体中で流動可能に収容する基底部と、基底部から延びミラーアッセンブリを収容する筒体部と、ミラーアッセンブリの上端に設けられたレンズとからなり、ミラーアッセンブリの上端はレンズが卵の殻の上端開口に近接するように筒体部の上端から突出してなる。【選択図】図１
2007017697.tif 000002
【特許請求の範囲】
【請求項１】
上端と下端がそれぞれ開口されると共に内面と外面がそれぞれ補強され、かつ外面に所望の装飾が施された天然の卵の殻と、前記卵の殻の下端開口から挿入され下端開口に対して固定された筒状の万華鏡とからなり、万華鏡は被観察物を光透過性の粘性液体中で流動可能に収容する基底部と、基底部から延びミラーアッセンブリを収容する筒体部と、ミラーアッセンブリの上端に設けられたレンズとからなり、ミラーアッセンブリの上端はレンズが卵の殻の上端開口に近接するように筒体部の上端から突出していることを特徴とする万華鏡付き卵殻装飾品。
【請求項２】
上端と下端がそれぞれ開口されると共に内面と外面がそれぞれ補強され、かつ外面に所望の装飾が施された天然の卵の殻と、前記卵の殻の下端開口から挿入され下端開口に対して固定された筒状の万華鏡とからなり、万華鏡は被観察物を光透過性の粘性液体中で流動可能に収容する基底部と、基底部から延びミラーアッセンブリを収容する筒体部と、卵の殻の上端開口に固定されたレンズとからなり、ミラーアッセンブリの上端はレンズに近接するように筒体部の上端から突出していることを特徴とする万華鏡付き卵殻装飾品。
【請求項３】
上端開口は下端開口よりも直径が小さく、万華鏡はその筒体部の上端が卵の殻の内面に接する位置まで挿入されていることを特徴とする請求項１又は２に記載の万華鏡付き卵殻装飾品。
【請求項４】
基底部は円筒体状であってその一端に静的に飾っておく際の台となる拡径された台座部を形成していることを特徴とする請求項１又は２に記載の万華鏡付き卵殻装飾品。
【請求項５】
卵の殻の下端開口と万華鏡との間に弾性のシール材が介在することを特徴とする請求項１又は２に記載の万華鏡付き卵殻装飾品。
【請求項６】
請求項１に記載の万華鏡付き卵殻装飾品の製造方法であって、上端開口を介して中身が除去された天然の卵の殻を用意し、前記卵の殻の下端側を切除して下端開口を形成し、下端開口を介して卵の殻の内面の薄皮を除去し、卵の殻の内面に補強剤を塗布して内面を補強し、卵の殻の外面に補強剤を塗布した後所望の装飾を施し、装飾が施された外面に透光性の塗料を塗布し、下端開口から筒状の万華鏡を挿入し下端開口に対して万華鏡を固定する工程を備えることを特徴とする万華鏡付き卵殻装飾品の製造方法。
【請求項７】
請求項２に記載の万華鏡付き卵殻装飾品の製造方法であって、上端開口を介して中身が除去された天然の卵の殻を用意し、前記卵の殻の下端側を切除して下端開口を形成し、下端開口を介して卵の殻の内面の薄皮を除去し、卵の殻の内面に補強剤を塗布して内面を補強し、卵の殻の外面に補強剤を塗布した後所望の装飾を施し、装飾が施された外面に透光性の塗料を塗布し、下端開口を介してレンズを上端開口の内縁側に固定し、下端開口から筒状の万華鏡を挿入し下端開口に対して万華鏡を固定する工程を備えることを特徴とする万華鏡付き卵殻装飾品の製造方法。
【請求項８】
上端開口を所望の直径に拡径する工程を更に備えることを特徴とする請求項６または７に記載の万華鏡付き卵殻装飾品の製造方法。
【請求項９】
万華鏡の外周のうち卵の殻の下端開口と対応する部位に弾性のシール材を装着する工程を更に備えることを特徴とする請求項６又は７に記載の万華鏡付き卵殻装飾品の製造方法。
【発明の詳細な説明】
【技術分野】
【０００１】
この発明は、万華鏡付き卵殻装飾品とその製造方法に関する。
【背景技術】
【０００２】
従来より、美術工芸品として、天然の卵の殻に様々な加工・装飾を施した卵殻装飾品（エッグアート）が知られている（例えば、非特許文献１参照）。
また、筒状体の底部に色紙、ビーズ、ステンドグラスなど、様々な被観察物を透明な粘性液体で封入した基底部を設け、基底部上に筒状体内に少なくとも２枚の板状鏡で構成されるミラーアッセンブリを筒状体の長手方向に沿って収容し、ミラーアッセンブリの上端に凸レンズを装着して構成される万華鏡も知られている。
なお、このような万華鏡は、筒状体の上端と凸レンズの位置が一致するように、ミラーアッセンブリの上端が筒状体の上端に対して僅かに低い位置となるように構成される。
【非特許文献１】瀧野和子著「卵のアートEggShells Garden」２００５年４月６日  株式会社Ｓ．Ｙ．Ｐ．発行
【発明の開示】
【発明が解決しようとする課題】
【０００３】
卵殻装飾品はそれのみでも十分に美しく、人々を魅了するものであるが、この卵殻装飾品に万華鏡を組合せることにより、美術工芸品としての価値をより一層高めることが考えられている。
しかし、卵殻装飾品は、その名の示す通り、天然の卵の殻に加工・装飾を施してなるものであり卵型の断面を有するものであるから、単に卵の殻の上端と下端にそれぞれ開口を形成し、下端開口から万華鏡を挿入しただけでは、万華鏡の先端に設けられたレンズが卵の上端開口から離れてしまう。
この場合、レンズを介して得られる万華鏡の画像の焦点距離が合わなくなり、観察者は卵の殻の上端開口を介してきれいな万華鏡の画像を観察することができない。
【０００４】
この発明は以上のような事情を考慮してなされたものであり、きれいな万華鏡の画像を観察できる万華鏡付き卵殻装飾品とその製造方法を提供するものである。
【課題を解決するための手段】
【０００５】
この発明は、上端と下端がそれぞれ開口されると共に内面と外面がそれぞれ補強され、かつ外面に所望の装飾が施された天然の卵の殻と、前記卵の殻の下端開口から挿入され下端開口に対して固定された筒状の万華鏡とからなり、万華鏡は被観察物を光透過性の粘性液体中で流動可能に収容する基底部と、基底部から延びミラーアッセンブリを収容する筒体部と、ミラーアッセンブリの上端に設けられたレンズとからなり、ミラーアッセンブリの上端はレンズが卵の殻の上端開口に近接するように筒体部の上端から突出していることを特徴とする第１の万華鏡付き卵殻装飾品を提供するものである。
【０００６】
また、この発明は、上端と下端がそれぞれ開口されると共に内面と外面がそれぞれ補強され、かつ外面に所望の装飾が施された天然の卵の殻と、前記卵の殻の下端開口から挿入され下端開口に対して固定された筒状の万華鏡とからなり、万華鏡は被観察物を光透過性の粘性液体中で流動可能に収容する基底部と、基底部から延びミラーアッセンブリを収容する筒体部と、卵の殻の上端開口に固定されたレンズとからなり、ミラーアッセンブリの上端はレンズに近接するように筒体部の上端から突出していることを特徴とする第２の万華鏡付き卵殻装飾品を提供するものでもある。
【発明の効果】
【０００７】
この発明による第１の万華鏡付き卵殻装飾品によれば、ミラーアッセンブリはその上端が筒体部の上端から突出し、この筒体部よりも突出したミラーアッセンブリの上端にレンズが装着されるため、卵の殻の上端開口と万華鏡のレンズが近接して位置することとなり、卵の殻の上端開口を介して焦点距離の合ったきれいな万華鏡の画像を観察できるようになる。
【０００８】
また、この発明による第２の万華鏡付き卵殻装飾品によれば、ミラーアッセンブリはその上端が筒体部の上端から突出し、レンズが卵の殻の上端開口に固定されるため、レンズとミラーアッセンブリの上端が近接して位置することとなり、卵の殻の上端開口を介して焦点距離の合ったきれいな万華鏡の画像を観察できるようになる。
【０００９】
これにより、この発明による第１および第２の万華鏡付き卵殻装飾品のいずれによっても、美術工芸品としての価値がより一層高められた万華鏡付き卵殻装飾品を提供できるようになる。
【発明を実施するための最良の形態】
【００１０】
この発明による第１の万華鏡付き卵殻装飾品は、上端と下端がそれぞれ開口されると共に内面と外面がそれぞれ補強され、かつ外面に所望の装飾が施された天然の卵の殻と、前記卵の殻の下端開口から挿入され下端開口に対して固定された筒状の万華鏡とからなり、万華鏡は被観察物を光透過性の粘性液体中で流動可能に収容する基底部と、基底部から延びミラーアッセンブリを収容する筒体部と、ミラーアッセンブリの上端に設けられたレンズとからなり、ミラーアッセンブリの上端はレンズが卵の殻の上端開口に近接するように筒体部の上端から突出していることを特徴とする。
【００１１】
また、この発明による第２の万華鏡付き卵殻装飾品は、上端と下端がそれぞれ開口されると共に内面と外面がそれぞれ補強され、かつ外面に所望の装飾が施された天然の卵の殻と、前記卵の殻の下端開口から挿入され下端開口に対して固定された筒状の万華鏡とからなり、万華鏡は被観察物を光透過性の粘性液体中で流動可能に収容する基底部と、基底部から延びミラーアッセンブリを収容する筒体部と、卵の殻の上端開口に固定されたレンズとからなり、ミラーアッセンブリの上端はレンズに近接するように筒体部の上端から突出していることを特徴とする。
【００１２】
この発明による第１および第２の万華鏡付き卵殻装飾品において、天然の卵の殻としては、上端と下端にそれぞれ開口が形成されると共に外面および内面がそれぞれ補強され、かつ外面に所望の装飾が施された天然の卵の殻であればよく、その素材となる卵の殻の種類は特に限定されるものではないが、例えば、ダチョウの卵の殻、ガチョウの卵の殻、ニワトリの卵の殻または鶉の卵の殻など、様々な生物の卵の殻を利用できる。ここで、装飾としては、絵、図形、模様、卵の殻の一部を切除して形成された模様および卵の殻に貼り付けられた装飾物など、様々なものが含まれる。
卵の殻の内面および外面の補強には、下塗り塗料を用いることができる。なお、外面を補強するにあたっては、下塗りが施された外面上に所望の装飾を施した後、該装飾上に、水性ニス、アクリル系クリア、ウレタン系クリアなどの様々な透光性の塗料を塗布することにより、更なる補強を図ることが好ましい。
なお、上記下塗り塗料としては、例えば、水性下塗り塗料を用いることができる。
万華鏡の基底部に収容される被観察物（具材）としては、一般に万華鏡の具材として利用されているものを利用でき、特に限定されるものではないが、例えば、色紙、ビーズ、ステンドグラス、ジュエリー、鳥の羽、ドライフラワーなど様々なものが利用できる。
【００１３】
また、基底部に満たされる光透過性の粘性液体としては、光透過性を有し、かつ、ある程度の粘性を備えていればよく、特に限定されるものではないが、例えば、シリコンオイルやグリセリンなどが利用できる。
【００１４】
基底部から延びる筒体部としては、その中に収容されるミラーアッセンブリを保持できる筒状体であればよく、特に限定されるものではないが、例えば、紙製筒体、プラスチック製筒体、金属製筒体などを利用できる。
なお、ここでいう筒状体とは、一般的な円筒状のみを意味するものではなく、三角柱状、四角柱状など様々な形状を含む。つまり、この発明による第１および第２の万華鏡付き卵殻装飾品において、筒状の万華鏡には、必ずしも円筒状のもののみならず、三角柱状、四角柱状など様々な形状のものが含まれる。
【００１５】
筒体部に収容されるミラーアッセンブリとしては、被観察物から反射してきた光をレンズに向けて反射できるものであればよく、特に限定されるものではないが、例えば、通常のガラス製鏡、アルミ製鏡、アクリルミラー、表面反射鏡などを適宜組合せたものを利用できる。なかでも、よりきれいな画像を得るうえでは表面反射鏡を用いることが好ましい。
【００１６】
ミラーアッセンブリの構成としては、２枚の鏡と１枚の非反射板を三角柱状に組合せた２ミラーシステム、３枚の鏡を三角柱状に組合せた３ミラーシステム、４枚の鏡を四角柱状に組合せた４ミラーシステム、３枚の鏡と１枚の非反射板を四角柱状に組合せたレクタンギュラーミラーシステム、３枚の鏡を先細の三角柱状に組合せたテーパードミラーシステム、４枚の鏡を菱形断面を有する四角柱状に張り合わせたツインミラーシステム、屈曲性を有する樹脂製鏡を丸めて円筒状としたサークルミラーシステムなど、公知の様々なミラーシステムを利用できる。
レンズとしては、例えば、凸レンズや球レンズなど、万華鏡に利用可能な公知のレンズを用いることができる。
【００１７】
なお、この発明による第１の万華鏡付き卵殻装飾品は、レンズが卵の殻の上端開口に近接して位置することを特徴の１つとし、この発明による第２の万華鏡付き卵殻装飾品は、ミラーアッセンブリの上端とレンズが近接して位置することを特徴の１つとするが、ここでいう近接とは、両者の間に間隙が形成されている状態だけでなく、両者が当接している状態も含まれる。
つまり、この発明による第１の万華鏡付き卵殻装飾品において、最も好ましいのはレンズの表面が卵の殻の上端開口に接触している状態であるが、両者の間には多少の間隙があってもよく、卵の殻の上端開口からレンズの表面までの距離が５ｍｍ程度までであれば、焦点距離は十分に合い、きれいな万華鏡の画像が得られる。
また、この発明による第２の万華鏡付き卵殻装飾品において、最も好ましいのは卵の殻の上端開口に固定されたレンズの裏面にミラーアッセンブリの上端が当接している状態であるが、両者の間には多少の間隙があってもよく、レンズの裏面からミラーアッセンブリの上端までの距離が５ｍｍ程度までであれば、焦点距離は十分に合い、きれいな万華鏡の画像が得られる。
【００１８】
なお、この発明による第１および第２の万華鏡付き卵殻装飾品において、筒体部の上端に対してミラーアッセンブリが突出する高さは、卵の殻が天然物でありそれぞれ大きさ、形状が異なるため、一概には規定し難いが、目安としては、上端開口および下端開口が形成される前の卵の殻、すなわち加工前の卵の殻の上端から下端までの高さに対して３〜６％程度の値とすることが好ましい。
また、この発明による第１および第２の万華鏡付き卵殻装飾品において、卵の殻の下端開口に対して万華鏡を固定する方法としては、例えば、エポキシ接着剤による固定や、シリコンシーラントによる固定などの手法を用いることができる。
【００１９】
この発明による第１および第２の万華鏡付き卵殻装飾品において、上端開口は下端開口よりも直径が小さく、万華鏡はその筒体部の上端が卵の殻の内面に接する位置まで挿入されていることが好ましい。
このような構成によれば、筒体部の上端よりも突出したミラーアッセンブリの上端が卵の殻の上端開口に最も近接することとなり、結果として上端開口とレンズとの距離、或いは、ミラーアッセンブリの上端とレンズとの距離が最小限の距離となり、より一層きれいな万華鏡の画像を観察できるようになる。
【００２０】
この発明による第１および第２の万華鏡付き卵殻装飾品は、基底部が円筒体状であってその一端に静的に飾っておく際の台となる拡径された台座部を形成していてもよい。
このような構成によれば、この発明による万華鏡付き卵殻装飾品を、美術工芸品として安定して静的に飾っておくことが可能となり、美術工芸品としての価値がより一層高まる。
【００２１】
この発明による第１および第２の万華鏡付き卵殻装飾品において、卵の殻の下端開口と万華鏡との間には弾性のシール材が介在していることが好ましい。
このような構成によれば、シール材によって下端開口と万華鏡の外周との隙間が塞がれるので、卵の殻に万華鏡を挿入するための下端開口を形成する際に、下端開口の直径を万華鏡の外径に厳密に一致させる必要がなくなり、下端開口の寸法精度を緩和でき下端開口の形成が容易になる。
なお、弾性のシール材としては、例えば、下端開口と万華鏡の外周との間に生じた隙間に対して適切な厚さを有するスポンジシートなどが利用できる。
【００２２】
この発明は、別の観点からみると、この発明による上述の第１の万華鏡付き卵殻装飾品を製造するための方法であって、上端開口を介して中身が除去された天然の卵の殻を用意し、前記卵の殻の下端側を切除して下端開口を形成し、下端開口を介して卵の殻の内面の薄皮を除去し、卵の殻の内面に補強剤を塗布して内面を補強し、卵の殻の外面に補強剤を塗布した後所望の装飾を施し、装飾が施された外面に透光性の塗料を塗布し、下端開口から筒状の万華鏡を挿入し下端開口に対して万華鏡を固定する工程を備えることを特徴とする第１の万華鏡付き卵殻装飾品の製造方法を提供するものでもある。
【００２３】
また同様に、この発明は別の観点からみると、この発明による上述の第２の万華鏡付き卵殻装飾品を製造するための方法であって、上端開口を介して中身が除去された天然の卵の殻を用意し、前記卵の殻の下端側を切除して下端開口を形成し、下端開口を介して卵の殻の内面の薄皮を除去し、卵の殻の内面に補強剤を塗布して内面を補強し、卵の殻の外面に補強剤を塗布した後所望の装飾を施し、装飾が施された外面に透光性の塗料を塗布し、下端開口を介してレンズを上端開口の内縁側に固定し、下端開口から筒状の万華鏡を挿入し下端開口に対して万華鏡を固定する工程を備えることを特徴とする第２の万華鏡付き卵殻装飾品の製造方法を提供するものでもある。
【００２４】
なお、これらのような上記の第１および第２の万華鏡付き卵殻装飾品の製造方法においても、近接とは、上述の通り、卵の殻の上端開口とレンズとの間、或いは、ミラーアッセンブリの上端とレンズとの間に間隙がある状態のみならず、両者が当接している状態をも含むものである。
【００２５】
この発明による、上記の第１および第２の万華鏡付き卵殻装飾品の製造方法は、上端開口を所望の直径に拡径する工程を更に備えていてもよい。
つまり、この発明に用いられる天然の卵の殻は、中身を除去するため上端開口が既に形成されているので、この上端開口が万華鏡の覗き穴として適度な開口径を有していれば、敢えて拡径する必要はないが、前記上端開口が、万華鏡の覗き穴として小さすぎる場合には万華鏡の覗き穴として適した所望の開口径に拡径するとよい。
【００２６】
この発明による、上記の第１および第２の万華鏡付き卵殻装飾品の製造方法は、万華鏡の外周のうち卵の殻の下端開口と対応する部位に弾性のシール材を装着する工程を更に備えていてもよい。
このような工程を備えれば、下端開口と万華鏡の外周との間に間隙が生じても、前記間隙は弾性のシール材によって埋められるので、下端開口の形成工程において、下端開口の直径を万華鏡の外径に厳密に一致させる必要がなくなり、下端開口の寸法精度を緩和でき下端開口の形成が容易になる。
なお、シール材としては、例えば、下端開口と万華鏡の外周との間に生じた隙間に対して適切な厚さを有するスポンジシートなどが利用できる。
【００２７】
以下、図面に示す実施例に基づいてこの発明を詳細に説明する。
【実施例】
【００２８】
実施例１
図１〜１７に基づいて、この発明の実施例１による万華鏡付き卵殻装飾品とその製造方法について説明する。
図１は実施例１による万華鏡付き卵殻装飾品の正面図、図２は図１に示される万華鏡付き卵殻装飾品の平面図、図３は図１に示される万華鏡付き卵殻装飾品の底面図、図４は図１のＡ−Ａ矢視断面図、図５は加工前の卵の殻単体を示す斜視図、図６は図５に示される卵の殻に４等分のラインを引く工程を示す斜視図、図７は図６に示される卵の殻に形成すべき上端開口および下端開口のラインを引く工程を示す斜視図、図８は上端開口と下端開口を形成する工程を示す斜視図、図９は補強や装飾が施されることにより作製された万華鏡挿入前の卵の殻単体を示す斜視図、図１０および図１１は万華鏡の基底部の作製工程を示す斜視図、図１２はミラーアッセンブリを長筒体に挿入して筒体部を作製する工程を示す斜視図、図１３は基底部上に筒体部を装着する工程を示す斜視図、図１４はミラーアッセンブリの上端に凸レンズを装着する工程を示す斜視図、図１５は卵の殻に挿入前の万華鏡に対してスポンジシートを巻き付ける工程を示す斜視図、図１６は卵の殻に万華鏡を挿入する工程を示す斜視図、図１７は卵の殻に挿入された万華鏡を卵の殻の下端開口に対して固定する工程を示す斜視図である。
【００２９】
図１〜４に示されるように、実施例１による万華鏡付き卵殻装飾品１は、上端と下端がそれぞれ開口されると共に内面と外面がそれぞれ補強され、かつ外面に所望の装飾（図示せず）が施された天然の卵の殻２と、卵の殻２の下端開口２ｂから挿入され下端開口２ｂに対して固定された筒状の万華鏡３とからなり、万華鏡３は具材（被観察物）４をグリセリン（光透過性の粘性液体）５中で流動可能に収容する基底部６と、基底部６から延びミラーアッセンブリ７を収容する筒体部８と、ミラーアッセンブリ７の上端７ａに設けられた凸レンズ９とからなり、ミラーアッセンブリ７の上端７ａはレンズ９が卵の殻２の上端開口２ａに近接するように筒体部８の上端８ａから突出するように構成されている。
【００３０】
上端開口２ａには覗き穴となる装飾部材２４が装着され、下端開口２ｂと万華鏡３との境界部分は装飾部材２３によって覆われている。
また、万華鏡３の外周と卵の殻２の下端開口２ｂとの間には両者の間隙を埋めるスポンジシート２１が介在し、万華鏡３は下端開口２ｂに対してエポキシ接着剤２２で固定されている。
【００３１】
以下、実施例１による万華鏡付き卵殻装飾品１の製造方法について順を追って説明する。
まず、図５に示されるような天然の卵の殻１０を用意する。実施例１では高さ１２ｃｍ程度、最大外径６ｃｍ程度の寸法を有するガチョウの卵の殻を用いた。なお、このような卵殻装飾品の素材となる天然の卵の殻１０は株式会社Ｓ．Ｙ．Ｐ．（東京都杉並区南荻窪３−３２−４）にて入手できる。
【００３２】
次に、図６に示されるように、マーカー（Natalie Original Studio(P.O. BOX 344, Canandaigua, N.Y. 14424)製）（図示せず）と呼ばれるエッグアート用の分度器付き固定器具に卵の殻１０を固定し、上端から下端へ向かって卵の殻１０の外周を４等分するライン１１を引く。４等分に引かれた４本のライン１１は、卵の殻１０の上端と下端で交差する。なお、上記マーカーも株式会社Ｓ．Ｙ．Ｐ．で入手できる。
【００３３】
次に、形成すべき上端開口２ａと下端開口２ｂの開口径を決める。上端開口２ａはミラーアッセンブリ７の上端７ａに装着される凸レンズ９の径よりも若干小さな径とし、下端開口２ｂは筒体部８よりも若干大きめの径とする。実施例１では、上端開口２ａを直径１．５ｃｍとし、下端開口２ｂを直径４．２ｃｍとした。
【００３４】
形成すべき上端開口２ａと下端開口２ｂの開口径が決まったら、図７に示されるように、形成すべき上端開口２ａと下端開口２ｂに沿ってライン１２，１３を引くが、この際、先に引いた４本のライン１１を利用し、卵の殻１０の上端および下端から前記ライン１１に沿って等距離となる点を結ぶようにライン１２，１３を引くと卵の殻１０の中心軸に対して水平に直交する面に沿って正確にライン１２，１３を引くことができる。
【００３５】
次に、図８に示されるように、コンプレッサーからの高圧空気によりハンドピースの先端のチャックに着脱可能に装着される様々な寸法・形状のドリルを高速回転させるエアツール（光伸精器製作所製、品番：ＫＳ−７０７）（図示せず）を用い、卵の上端に小さな穴を穿孔し、先に引いた上端開口のライン１２（図７参照）を目安に穴を徐々に拡径し上端開口２ａを形成する。
その後、電動モータにより先端のチャックに着脱可能に装着される様々な寸法・形状のドリルまたは円盤状の刃を高速回転させるミニルーター（株式会社東洋アソシエイツ製、品番：ＨＰ−２００）（図示せず）を用い、ミニルーターに対して卵の殻１０を回転させるようにして、ミニルーターのチャックに装着された円盤状の刃で下端開口のライン１３（図７参照）をなぞり、下端開口２ｂを形成する。なお、上記エアツールおよびミニルーターも株式会社Ｓ．Ｙ．Ｐ．で入手できる。
【００３６】
次に、上端開口２ａと下端開口２ｂが形成された卵の殻１０を水の中に１０分程度浸し、先に形成された下端開口２ｂおよび上端開口２ａから指を差し入れて卵の殻１０の中の薄皮を取り除く。
【００３７】
次に、ジェッソと呼ばれる水性下塗り塗料（株式会社サンユー製、品番：１９２−８０４２）を上端開口および下端開口を介して筆で卵の殻１０の内面に塗布し、自然乾燥させ卵の殻１０を内面から補強する。なお、この工程は少なくとも２回以上繰り返すことが好ましい。なお、上記ジェッソも株式会社Ｙ．Ｓ．Ｐで入手できる。
次に、ジェッソを卵の殻１０の表面にも筆で塗布し、自然乾燥させる。このジェッソは卵の表面にある微細な凹凸を整え、さらに後の工程で塗布される塗料の発色を良くする作用がある。
【００３８】
次に、卵の殻１０の表面に所望の装飾を施す。装飾には様々な手法が利用でき、一般的には、水性アクリルペイントの塗布後、デコパージュなどの転写を用いた手法が利用できる。
【００３９】
具体的には、所望の色に調色した水性アクリルペイントを用いて卵の殻１０の表面に好みの絵や模様を筆描きする。水性アクリルペイントは、乾燥すると水に溶けなくなるので、薄めに溶いた水性アクリルペイントで塗布・乾燥を繰り返し、重ね塗りすることにより好みの絵や模様を描くようにすると、ムラができにくくきれいに仕上がる。また、水性アクリルペイントで単一色の下地を描き、その上に市販の転写シールを貼り付ける手法も利用できる。
【００４０】
市販の転写シールの代わりに、デコパージュ用の転写と呼ばれる手法を用いて好みの絵や模様を卵の殻１０の表面に写し取ってもよい。
デコパージュを利用する場合、具体的には、包装紙、カードなど、好みの絵や模様が描かれた紙製印刷物から転写したい部分を切り取り、切り取った絵又は模様の上に転写剤（アクリル・エマルジョン塗料）を７〜８回重ね塗りし、好みの絵又は模様の上に転写剤の被膜を形成する。その後、転写剤の被膜が形成された好みの絵又は模様を水に３０分程浮かべ、好みの絵又は模様の紙基材部分に水分を吸収させ脆くする。
【００４１】
次いで、ワックスペーパー等を用意し、転写剤による被膜が形成された面がワックスペーパーと対向するように好みの絵又は模様をワックスペーパー上に載置し、脆くなった紙基材部分をこすり取り、なるべく絵又は模様のみの薄い状態にする。
その後、得られた絵又は模様を、転写剤による被膜が形成された面と卵の殻１０の表面とが対向するように貼り付ける。以上がデコパージュのための転写の基本的な手法である。
【００４２】
次に、所望の装飾が施された卵の殻１０の表面にデコパージュ用水性仕上剤（例えば、Plaid Enterprises, Inc.製、商品名「VOLAIR」が使用できる）を７〜８回に分けて重ね塗りし自然乾燥させた後、乾燥した前記仕上剤の被膜を６００番程度の耐水ペーパーで水研ぎする。
次に水研ぎされた前記仕上剤被膜の表面に再び上記のデコパージュ用水性仕上剤を塗布し自然乾燥させた後、乾燥した仕上剤被膜を１０００番程度の耐水ペーパーで水研ぎし、仕上剤被膜の表面を鏡面に近い状態に整える。これにより、絵又は模様の塗膜、或いは転写シールと卵の殻の表面との微細な段差が仕上剤被膜により埋められ面一の状態となり、図９に示されるように万華鏡３挿入前の卵の殻２が完成する。
【００４３】
次に、万華鏡３の作製方法について説明する。
まず、図１０に示されるように、外径４ｃｍ、長さ１．５ｃｍ、肉厚２ｍｍ程度の寸法を有するアクリル製の短筒体１４を用意し、短筒体１４の一端に、外径６．５ｃｍ程度、厚さ５ｍｍ程度の寸法を有するアクリル製の円形板１５を接着し、短筒体１４の一端を塞ぐ。この円形板１５は、万華鏡付き卵殻装飾品１（図１参照）を美術工芸品として静的に飾っておく際の台座部ともなる。
なお、外観的には、短筒体１４と円形板１５とが一体成形されたものを用いることがより好ましい。
【００４４】
次に、図１１に示されるように、一端が円形板１５で塞がれた短筒体１４にビーズ、鎖等の所望の具材４を入れ、グリセリンを短筒体１４内に注いだ後、短筒体１４の他端に外径４ｃｍ、厚さ２ｍｍ程度のアクリル製の円形板１６を接着する。これにより基底部６が作製される。
【００４５】
次に、図１２に示されるように、外径４ｃｍ、長さ９．５ｃｍ、肉厚２ｍｍ程度の寸法を有するアクリル製の長筒体１７を用意し、この長筒体１７の内部に２枚の表面反射鏡１８と１枚の非反射板１９を三角柱状に組合せて構成されたツーミラーシステムのミラーアッセンブリ７を挿入する。
なお、ミラーアッセンブリ７を挿入するにあたっては、ミラーアッセンブリ７の長手方向に沿った少なくとも２箇所に緩衝材としてのスポンジ２０を巻き付けたうえで挿入する。これにより筒体部８が作製される。
【００４６】
次に、図１３に示されるように、作製された筒体部８を基底部６の上部に同軸に接着する。ここで、ミラーアッセンブリ７は長手方向に沿った長さが１０ｃｍであるので、筒体部８の上端８ａから０．５ｃｍ突出した状態となる。
次に、図１４に示されるように、ミラーアッセンブリ７の上端７ａに直径３ｃｍの凸レンズ９を接着する。以上の工程により万華鏡３が完成する。
【００４７】
次に、上述のようにして作製された万華鏡３を卵の殻２に挿入する工程について説明する。
まず、図１５に示されるように、基底部６と筒体部８との境界あたりに幅１ｃｍ、厚さ１ｍｍ程度の寸法を有する粘着材付きスポンジシート２１を巻き付ける。なお、下端開口２ｂが形成工程の都合により所定の寸法よりも若干小さめに形成され、万華鏡３と下端開口２ｂとの間に殆ど隙間が生じない場合は、必ずしもスポンジシート２１を巻き付ける必要はない。
【００４８】
次に、図１６に示されるように、万華鏡３を卵の殻２の下端開口２ｂからゆっくり挿入し、筒体部８の上端８ａが卵の殻２の内面に当接した時点で挿入を止め、万華鏡３の凸レンズ９（図１４参照）が卵の殻２の上端開口２ａと相対する位置となるように万華鏡３の位置を微調整する。
なお、上述の通り、万華鏡３の凸レンズ９は、筒体部８の上端８ａよりも０．５ｍｍ、すなわち、加工前の卵の殻１０（図５参照）の高さ１２ｃｍに対して約４％となる値である０．５ｍｍだけ突出したミラーアッセンブリ７の上端７ａ（図１３参照）に装着されているので、筒体部８が卵の殻２の内面に当接するまで万華鏡３が挿入された時点で、前記凸レンズ９の表面は、卵の殻２の上端開口２ａに非常に近接した状態となる。これにより、卵の殻２の上端開口２ａを介して焦点距離の合ったきれいな万華鏡３の画像を観察できるようになる。
もちろん、筒体部８の上端８ａに対するミラーアッセンブリ７の突出高さを更に厳密に設定すれば、筒体部８が卵の殻２の内面に当接するまで万華鏡３が挿入された時点で、凸レンズ９の表面を卵の殻２の上端開口２ａにちょうど当接させることも可能である。
【００４９】
次に、図１７に示されるように、卵の殻２の下端開口２ｂと万華鏡３との境界部分にエポキシ系接着剤（株式会社アルテコ製、品番：Ｆ−０５）２２を少し多めに塗布し、万華鏡３を卵の殻２の下端開口２ｂに対して固定する。
その後、卵の殻２の下端開口２ｂと万華鏡３との境界部分に、適当な装飾部材２３（図１参照）をエポキシ系接着剤で接着して境界部分を隠すと共に、卵の殻２の上端開口２ａに覗き穴となる装飾部材２４（図１参照）をエポキシ系接着剤で接着することにより、図１〜４に示される万華鏡付き卵殻装飾品１が完成する。なお、前記装飾部材２３，２４は美観に優れる好みのものであればよく、様々なものが利用できる。例えば、一般的な手工芸品店や株式会社Ｙ．Ｓ．Ｐ．でも入手できる。
【００５０】
実施例２
この発明の実施例２による万華鏡付き卵殻装飾品とその製造方法について図１８に基づいて説明する。図１８は実施例２による万華鏡付き卵殻装飾品の断面図である。
【００５１】
図１８に示されるように、実施例２による万華鏡付き卵殻装飾品３１は、上端と下端がそれぞれ開口されると共に内面と外面がそれぞれ補強され、かつ外面に所望の装飾（図示せず）が施された卵の殻２と、卵の殻２の下端開口２ｂから挿入され下端開口２ｂに対して固定された筒状の万華鏡３とからなり、万華鏡３は具材（被観察物）４をグリセリン（透過性の粘性液体）５中で流動可能に収容する基底部６と、基底部６から延びミラーアッセンブリ７を収容する筒体部８と、卵の殻２の上端開口２ａに固定された凸レンズ３９とからなり、ミラーアッセンブリ７の上端７ａはレンズ３９に近接するように筒体部８の上端８ａから突出するように構成されている。
【００５２】
つまり、実施例２による万華鏡付き卵殻装飾品３１は、凸レンズ３９が、実施例１のようにミラーアッセンブリ７の上端７ａに装着されるのではなく、卵の殻２の上端開口２ａにその内面から装着されている点のみが異なる。なお凸レンズ３９は直径１．７ｍｍのものを使用している。
よって、卵の殻２の作製方法、万華鏡３の基底部６および筒体部８の作製方法は上述の実施例１と同様である。
【００５３】
凸レンズ３９を卵の殻２の上端開口２ａの内面に接着するにあたっては、上端開口２ａの内面側の周縁に予めエポキシ系接着剤を塗布しておき、卵の殻２の下端開口２ｂから凸レンズ３９を差し入れて上端開口２ａの内面側に接着する。
その後、基底部６および筒体部８を卵の殻２の下端開口２ｂからゆっくり挿入し、筒体部８の上端８ａが卵の殻２の内面に接した時点で挿入を止める。卵の殻２の下端開口２ｂに対する万華鏡３の固定方法は上述の実施例１と同様である。
【００５４】
実施例２による万華鏡付き卵殻装飾品３１によれば、筒体部８に収容されたミラーアッセンブリ７の上端７ａが凸レンズ３９に近接して位置するので、実施例１による万華鏡付き卵殻装飾品１（図４参照）と同様に、卵の殻２の上端開口２ａを介して焦点距離の合ったきれいな万華鏡３の画像を観察できるようになる。もちろん、筒体部８の上端８ａに対するミラーアッセンブリ７の突出高さを更に厳密に設定すれば、筒体部８が卵の殻２の内面に当接するまで万華鏡３が挿入された時点で、ミラーアッセンブリ７の上端７ａを凸レンズ３９の裏面にちょうど当接させることも可能である。
【００５５】
実施例３
この発明の実施例３による万華鏡付き卵殻装飾品とその製造方法について図１９に基づいて説明する。図１９は実施例３による万華鏡付き卵殻装飾品の正面図である。
【００５６】
図１９に示されるように、実施例３による万華鏡付き卵殻装飾品４１は、卵の殻４２に高さ４ｃｍ程度、最大外径２．５ｃｍ程度の鶉の卵の殻を用い、卵の殻４２にネックレス用のチェーン４４を装着してネックレスタイプとしたものである。
【００５７】
チェーン４４を卵の殻４２に装着するにあたっては、卵の殻４２の上端開口４２ａより５ｍｍ程度下の外周において相対する２箇所にエアツールで直径０．５ｍｍ程度の小さな孔を穿孔し、形成された孔に９ピン４５と呼ばれる円形リングの１箇所から細長い穿刺体が延びた部材をそれぞれ挿入し、挿入部の周囲を瞬間接着剤で固定し、さらに９ピン４５の円形リングに形成された不連続部をラジオペンチを用いて一時的に開いて隙間を形成し、その隙間にＯカン４６と呼ばれる円形リングを差し入れた後、９ピン４５の一時的に開けた不連続部をラジオペンチで締め元のリング状に戻す。
【００５８】
その後、さらにＯカン４６の一部に形成された不連続部をラジオペンチを用いて一時的に開いて隙間を形成し、その隙間にネックレス用のチェーン４４を差し入れた後、Ｏカン４６の一時的に開けた不連続部をラジオペンチで締め、元のリング状に戻す。これにより実施例３によるネックレスタイプの万華鏡付き卵殻装飾品４１が完成する。なお、万華鏡付き卵殻装飾品４１の製造方法は、基本的に上述の実施例１と同様であるが、台座部のない筒状の万華鏡を作製し、それを卵の殻の上端開口４２ａ側から挿入する点のみが異なる。
また、実施例３で用いた９ピン４５、Ｏカン４６、ネックレス用のチェーン４４は、いずれも一般の手工芸品店で入手できる。
【図面の簡単な説明】
【００５９】
【図１】この発明の実施例１による万華鏡付き卵殻装飾品の正面図である。
【図２】図１に示される万華鏡付き卵殻装飾品の平面図である。
【図３】図１に示される万華鏡付き卵殻装飾品の底面図である。
【図４】図１のＡ−Ａ矢視断面図である。
【図５】加工前の卵の殻単体を示す斜視図である。
【図６】図５に示される卵の殻に４等分のラインを引く工程を示す斜視図である。
【図７】図６に示される卵の殻に形成すべき上端開口および下端開口のラインを引く工程を示す斜視図である。
【図８】上端開口と下端開口を形成する工程を示す斜視図である。
【図９】補強や装飾が施されることにより作製された万華鏡挿入前の卵の殻単体を示す斜視図である。
【図１０】万華鏡の基底部の作製工程を示す斜視図である。
【図１１】万華鏡の基底部の作製工程を示す斜視図である。
【図１２】ミラーアッセンブリを長筒体に挿入して筒体部を作製する工程を示す斜視図である。
【図１３】基底部上に筒体部を装着する工程を示す斜視図である。
【図１４】ミラーアッセンブリの上端に凸レンズを装着する工程を示す斜視図である。
【図１５】卵の殻に挿入前の万華鏡に対してスポンジシートを巻き付ける工程を示す斜視図である。
【図１６】卵の殻に万華鏡を挿入する工程を示す斜視図である。
【図１７】卵の殻に挿入された万華鏡を卵の殻の下端開口に対して固定する工程を示す斜視図である。
【図１８】この発明の実施例２による万華鏡付き卵殻装飾品の断面図である。
【図１９】この発明の実施例３によるネックレスタイプの万華鏡付き卵殻装飾品の正面図である。
【符号の説明】
【００６０】
１，３１，４１・・・万華鏡付き卵殻装飾品
２，４２・・・卵の殻
２ａ，４２ａ・・・上端開口
２ｂ・・・下端開口
３，４３・・・万華鏡
４・・・具材
５・・・グリセリン
６・・・基底部
７・・・ミラーアッセンブリ
７ａ・・・ミラーアッセンブリの上端
８・・・筒体部
８ａ・・・筒体部の上端
９，３９・・・凸レンズ
１０・・・卵の殻（加工前）
１１，１２，１３・・・ライン
１４・・・短筒体
１５，１６・・・円形板
１７・・・長筒体
１８・・・表面反射鏡
１９・・・非反射板
２０・・・スポンジ
２１・・・スポンジシート
２２・・・エポキシ系接着剤
２３，２４・・・装飾部材
４４・・・チェーン
４５・・・９ピン
４６・・・Ｏカン
【図１】
2007017697.tif 000003
【図２】
2007017697.tif 000004
【図３】
2007017697.tif 000005
【図４】
2007017697.tif 000006
【図５】
2007017697.tif 000007
【図６】
2007017697.tif 000008
【図７】
2007017697.tif 000009
【図８】
2007017697.tif 000010
【図９】
2007017697.tif 000011
【図１０】
2007017697.tif 000012
【図１１】
2007017697.tif 000013
【図１２】
2007017697.tif 000014
【図１３】
2007017697.tif 000015
【図１４】
2007017697.tif 000016
【図１５】
2007017697.tif 000017
【図１６】
2007017697.tif 000018
【図１７】
2007017697.tif 000019
【図１８】
2007017697.tif 000020
【図１９】
2007017697.tif 000021